(57)【要約】【課題】用紙上に貼付された写真から写真画像を取得する際にオペレーターによる補正が必要な場合、オペレータの手間を軽減する。【解決手段】ＩＤカード作成装置１は、赤外線カメラ５９で撮影した赤外線画像から申請書の写真位置を検出して、その検出結果に基づいてＣＣＤカメラ５１で撮影した画像の切り出す範囲を補正して写真画像を取得する際に、補正に必要な情報が得られない場合や、切り出す範囲を補正した場合の写真画像が記憶部２３に記憶された写真条件を満たさない場合はその撮影した画像を記憶部２３に記憶し、記憶部２３に記憶された画像と操作部２４から入力された補正情報とに基づいて写真画像を取得する。【選択図】図１
2007045003.tif 000002
【特許請求の範囲】
【請求項１】
用紙上に貼付された写真を含む領域を読み取り、当該読取情報から写真の位置を検出し、その検出結果に応じて前記読み取った画像の切り出す範囲を補正して写真画像を取得する写真画像読取装置において、
前記検出結果を元に切り出す範囲の補正に必要な情報が得られたか否かを判定する判定手段と、
前記補正に必要な情報が得られない場合に前記読み取った画像を記憶する画像記憶手段と、
補正情報の入力を受け付ける補正情報入力手段と、
前記入力された補正情報に基づいて前記記憶された画像の切り出す範囲を補正して写真画像を取得する写真画像取得手段と、
を備えたことを特徴とする写真画像読取装置。
【請求項２】
用紙上に貼付された写真を含む領域を読み取り、当該読取情報から写真の位置を検出し、その検出結果に応じて前記読み取った画像の切り出す範囲を補正して写真画像を取得する写真画像読取装置において、
予め定められた写真条件を記憶する記憶手段と、
前記切り出す範囲を補正した場合の写真画像が前記記憶された写真条件を満たすか否かを判定する判定手段と、
前記判定手段において写真条件を満たさないと判定された場合に前記読み取った画像を記憶する画像記憶手段と、
補正情報の入力を受け付ける補正情報入力手段と、
前記入力された補正情報に基づいて前記記憶された画像の切り出す範囲を補正して写真画像を取得する写真画像取得手段と、
を備えたことを特徴とする写真画像読取装置。
【請求項３】
複数の前記用紙を順次搬送して当該用紙に貼付された写真を含む領域を読み取る読取手段と、
前記読取手段に搬送する前記写真が貼付された用紙の枚数を指示する指示手段と、を更に備え、
前記補正情報入力手段は、前記指示された枚数が読み取られた後に補正情報の入力を受けることを特徴とする請求項１又は２に記載の写真画像読取装置。
【請求項４】
用紙トレーに載置された前記用紙を順次搬送して当該用紙に貼付された写真を含む領域を読み取る読取手段と、
前記読取手段に載置されたすべての用紙の読み取りを１つの読取処理とした場合の当該読取処理の回数を指示する指示手段と、を更に備え、
前記補正情報入力手段は、前記指示された読取処理回数分の読取処理が終了した後に補正情報の入力を受け付けることを特徴とする請求項１又は２に記載の写真画像読取装置。
【請求項５】
複数の前記用紙を順次搬送して当該用紙に貼付された写真を含む領域を読み取る読取手段と、
前記読取手段における読取時に前記補正情報入力手段からの補正情報の入力受け付け開始を指示する指示手段と、を更に備えたことを特徴とする請求項１又は２に記載の写真画像読取装置。
【請求項６】
前記切り出す範囲の画像を表示する補正結果表示手段を更に備えたことを特徴とする請求項１〜５のいずれか一項に記載の写真画像読取装置。
【請求項７】
前記請求項１〜６のいずれか一項に記載の写真画像読取装置と、
前記取得された写真画像を含むＩＤカードを生成するカード生成手段と、
を備えたことを特徴とするＩＤカード作成装置。
【請求項８】
用紙上に貼付された写真を含む領域を読み取り、当該読取情報から写真の位置を検出し、その検出結果に応じて前記読み取った画像の切り出す範囲を補正して写真画像を取得する写真画像取得方法において、
前記検出結果を元に切り出す範囲の補正に必要な情報が得られたか否かを判定する判定工程と、
前記補正に必要な情報が得られない場合に前記読み取った画像を記憶する画像記憶工程と、
補正情報の入力を受け付ける補正情報入力工程と、
前記入力された補正情報に基づいて前記記憶された画像の切り出す範囲を補正して写真画像を取得する写真画像取得工程と、
を有することを特徴とする写真画像読取方法。
【請求項９】
用紙上に貼付された写真を含む領域を読み取り、当該読取情報から写真の位置を検出し、その検出結果に応じて前記読み取った画像の切り出す範囲を補正して写真画像を取得する写真画像取得方法において、
前記切り出す範囲を補正した場合の写真画像が予め記憶された写真条件を満たすか否かを判定する判定工程と、
前記判定工程において写真条件を満たさないと判定された場合に前記読み取った画像を記憶する画像記憶工程と、
補正情報の入力を受け付ける補正情報入力工程と、
前記入力された補正情報に基づいて前記記憶された画像の切り出す範囲を補正して写真画像を取得する写真画像取得工程と、
を有することを特徴とする写真画像読取方法。
【請求項１０】
複数の前記用紙を順次搬送して当該用紙に貼付された写真を含む領域を読み取る読取工程と、
前記読取手段に搬送する前記写真が貼付された用紙の枚数を指示する指示工程と、を更に有し、
前記補正情報入力工程では、前記指示された枚数が読み取られた後に補正情報の入力を受け付けることを特徴とする請求項８又は９に記載の写真画像読取方法。
【請求項１１】
用紙トレーに載置された前記用紙を順次搬送して当該用紙に貼付された写真を含む領域を読み取る読取工程と、
前記用紙トレーに載置されたすべての用紙の読み取りを１つの読取処理とした場合の当該読取処理の回数を指示する指示工程と、を更に有し、
前記補正情報入力工程では、前記指示された読取処理回数分の読取処理が終了した後に補正情報の入力を受け付けることを特徴とする請求項８又は９に記載の写真画像読取方法。
【請求項１２】
複数の前記用紙を順次搬送して当該用紙に貼付された写真を含む領域を読み取る読取工程と、
前記読取工程における読取時に前記補正情報入力工程の開始を指示する指示工程と、を更に有することを特徴とする請求項８又は９に記載の写真画像読取方法。
【請求項１３】
前記請求項８〜１２のいずれか一項に記載の写真画像読取方法と、
前記取得された写真画像を含むＩＤカードを生成するカード生成工程と、
を有することを特徴とするＩＤカード作成方法。
【発明の詳細な説明】
【技術分野】
【０００１】
本発明は、用紙上の写真から写真画像を取得する写真画像読取装置、当該写真画像読取装置で取得された画像を付帯するＩＤカードを作成するＩＤカード作成装置、写真画像読取方法及びＩＤカード作成方法に関する。
【背景技術】
【０００２】
従来から、社員証、免許証、各種会員証カード等のＩＤカードには、カード保有者の識別番号、氏名、有効期限等の情報を印字したものの他に、顔写真を印字したものがある。この顔写真が印字されたＩＤカードの作成には、当該ＩＤカードの作成時に発行対象者のＩＤカード申請用紙上の所定位置に貼り付けられた顔写真を読み取り、その読み取った画像を元に行うものがある。
【０００３】
このＩＤカード申請用紙上の顔写真を読み取ってＩＤカードを作成する場合は、ＩＤカードに印字される顔写真のずれや傾きを防止するため、申請用紙に貼り付けられた顔写真位置を確実に検出して、トリミングや傾き補正などを行う必要がある。
【０００４】
特許文献１には、申請用紙上の顔写真の貼付位置を確実に検出する技術として、申請用紙を透過する電磁波を検知する技術が開示されている。また、特許文献２には、撮影した画像から申請用紙上に貼付された顔写真のエッジを検出して、そのエッジを含まない顔写真画像をＩＤカード用画像として抽出する技術が開示されている。
【特許文献１】特開２００４−１７４８８９号公報
【特許文献２】特開２００１−１８０１６０号公報
【発明の開示】
【発明が解決しようとする課題】
【０００５】
しかしながら、従来の技術では、写真の背景色や色合いが申請用紙と似通っているなどして顔写真のエッジを検出することができず、ＩＤカードが作成されることなく申請用紙が排出され、オペレーターが補正を行う場合、ＩＤカード作成装置に再度申請用紙をセットして読み取った後に補正を行うという手間のかかる作業が必要であった。
【０００６】
また、顔写真のエッジを検出することができる場合においても、写真サイズや写真の貼付位置が予め定められた規定値よりもずれたためにＩＤカードが作成されることなく申請用紙が排出された場合は、オペレーターが手動で補正を行う必要があるため、同様に再度申請用紙をセットして読み取る必要があった。
【０００７】
本発明は、このような課題に鑑みてなされたものであり、その目的とするところは、用紙上に貼付された写真から写真画像を取得する際にオペレーターによる補正が必要な場合、オペレータの手間を軽減することである。
【課題を解決するための手段】
【０００８】
上記課題を解決するために、請求項１に記載の発明は、写真が貼付された用紙から少なくとも当該写真を含む領域を読み取り、当該写真が貼付された用紙から写真の位置を検出し、その検出結果に応じて前記読み取った画像の切り出す範囲を補正して写真画像を取得する写真画像読取装置において、前記検出結果を元に切り出す範囲の補正に必要な情報が得られたか否かを判定する判定手段と、前記補正に必要な情報が得られない場合に前記読み取った画像を記憶する画像記憶手段と、補正情報の入力を受け付ける補正情報入力手段と、前記入力された補正情報に基づいて前記記憶された画像の切り出す範囲を補正して写真画像を取得する写真画像取得手段と、を備えたことを特徴とする。
【０００９】
請求項２に記載の発明は、写真が貼付された用紙から少なくとも当該写真を含む領域を読み取り、当該写真が貼付された用紙から写真の位置を検出し、その検出結果に応じて前記読み取った画像の切り出す範囲を補正して写真画像を取得する写真画像読取装置において、予め定められた写真条件を記憶する記憶手段と、前記切り出す範囲を補正した場合の写真画像が前記記憶された写真条件を満たすか否かを判定する判定手段と、前記判定手段において写真条件を満たさないと判定された場合に前記読み取った画像を記憶する画像記憶手段と、補正情報の入力を受け付ける補正情報入力手段と、前記入力された補正情報に基づいて前記記憶された画像の切り出す範囲を補正して写真画像を取得する写真画像取得手段と、を備えたことを特徴とする。
【００１０】
請求項３に記載の発明は、請求項１又は２に記載の発明において、複数の前記写真が貼付された用紙を順次搬送して当該写真を含む領域を読み取る読取手段と、前記読取手段に搬送する前記写真が貼付された用紙の枚数を指定する指定手段と、を更に備え、前記補正情報入力手段は、前記指定された枚数が読み取られた後に補正情報の入力を受け付けることを特徴とする。
【００１１】
請求項４に記載の発明は、請求項１又は２に記載の発明において、用紙トレーに載置された前記用紙を順次搬送して当該用紙に貼付された写真を含む領域を読み取る読取手段と、前記読取手段に載置されたすべての用紙の読み取りを１つの読取処理とした場合の当該読取処理の回数を指示する指示手段と、を更に備え、前記補正情報入力手段は、前記指示された読取処理回数分の読取処理が終了した後に補正情報の入力を受け付けることを特徴とする。
【００１２】
請求項５に記載の発明は、請求項１又は２に記載の発明において、複数の前記用紙を順次搬送して当該用紙に貼付された写真を含む領域を読み取る読取手段と、前記読取手段における読取時に前記補正情報入力手段からの補正情報の入力受け付け開始を指示する指示手段と、を更に備えたことを特徴とする。
【００１３】
請求項６に記載の発明は、請求項１〜５のいずれか一項に記載の発明において、前記切り出す範囲の画像を表示する補正結果表示手段を更に備えたことを特徴とする。
【００１４】
請求項７に記載の発明は、前記請求項１〜６のいずれか一項に記載の写真画像読取装置と、前記取得された写真画像を含むＩＤカードを生成するカード生成手段と、を備えたことを特徴とする。
【００１５】
請求項８に記載の発明は、用紙上に貼付された写真を含む領域を読み取り、当該読取情報から写真の位置を検出し、その検出結果に応じて前記読み取った画像の切り出す範囲を補正して写真画像を取得する写真画像取得方法において、前記検出結果を元に切り出す範囲の補正に必要な情報が得られたか否かを判定する判定工程と、前記補正に必要な情報が得られない場合に前記読み取った画像を記憶する画像記憶工程と、補正情報の入力を受け付ける補正情報入力工程と、前記入力された補正情報に基づいて前記記憶された画像の切り出す範囲を補正して写真画像を取得する写真画像取得工程と、を有することを特徴とする。
【００１６】
請求項９に記載の発明は、用紙上に貼付された写真を含む領域を読み取り、当該読取情報から写真の位置を検出し、その検出結果に応じて前記読み取った画像の切り出す範囲を補正して写真画像を取得する写真画像取得方法において、前記切り出す範囲を補正した場合の写真画像が予め記憶された写真条件を満たすか否かを判定する判定工程と、前記判定工程において写真条件を満たさないと判定された場合に前記読み取った画像を記憶する画像記憶工程と、補正情報の入力を受け付ける補正情報入力工程と、前記入力された補正情報に基づいて前記記憶された画像の切り出す範囲を補正して写真画像を取得する写真画像取得工程と、を有することを特徴とする。
【００１７】
請求項１０に記載の発明は、請求項８又は９に記載の発明において、複数の前記用紙を順次搬送して当該用紙に貼付された写真を含む領域を読み取る読取工程と、前記読取手段に搬送する前記写真が貼付された用紙の枚数を指示する指示工程と、を更に有し、前記補正情報入力工程では、前記指示された枚数が読み取られた後に補正情報の入力を受け付けることを特徴とする。
【００１８】
請求項１１に記載の発明は、請求項８又は９に記載の発明において、用紙トレーに載置された前記用紙を順次搬送して当該用紙に貼付された写真を含む領域を読み取る読取工程と、前記用紙トレーに載置されたすべての用紙の読み取りを１つの読取処理とした場合の当該読取処理の回数を指示する指示工程と、を更に有し、前記補正情報入力工程は、前記指示された読取処理回数分の読取処理が終了した後に補正情報の入力を受け付けることを特徴とする。
【００１９】
請求項１２に記載の発明は、請求項８又は９に記載の発明において、複数の前記用紙を順次搬送して当該用紙に貼付された写真を含む領域を読み取る読取工程と、前記読取工程における読取時に前記補正情報入力工程の開始を指示する指示工程と、を更に有することを特徴とする。
【００２０】
請求項１３に記載の発明は、前記請求項８〜１２のいずれか一項に記載の写真画像読取方法と、前記取得された写真画像を含むＩＤカードを生成するカード生成工程と、を有することを特徴とする。
【発明の効果】
【００２１】
請求項１、８に記載の発明によれば、用紙上に貼付された写真から写真画像を取得する際に切り出す範囲の補正に必要な情報が得られず、オペレーターによる補正が必要な場合、新たに読み取りを行う必要がなく、オペレータの手間を軽減することができる。
【００２２】
請求項２、９に記載の発明によれば、用紙上に貼付された写真から写真画像を取得する際に切り出す範囲を補正した場合の写真情報が写真条件を満たさず、オペレーターによる補正が必要な場合、新たに読み取りを行う必要がなく、オペレータの手間を軽減することができる。
【００２３】
請求項３、１０に記載の発明によれば、指示した枚数の用紙を一括して読み取った後にオペレータによる補正を行うことができるため、常に装置をオペレータが監視する必要が無く、オペレータの負担を軽減することができる。
【００２４】
請求項４、１１に記載の発明によれば、用紙トレーに載置された全ての用紙の読取を１つの読取処理とした場合の当該読取処理回数で補正するタイミングを指示することができため、常に装置をオペレータが監視する必要が無く、オペレータの負担を軽減することができる。
【００２５】
請求項５、１２に記載の発明によれば、読取手段における読取時に前記補正情報入力手段からの補正情報の入力受け付け開始を指示することができるため、オペレータの所望のタイミングで補正を行うことができる。
【００２６】
請求項６に記載の発明によれば、切り出す範囲の画像を確認することができるため、オペレータの作業効率の向上と、ロスの低減を実現することができる。
【００２７】
請求項７、１３に記載の発明によれば、用紙から取得された写真画像を含むＩＤカードの作成時におけるオペレータの手間を低減することができる。
【発明を実施するための最良の形態】
【００２８】
以下、図１〜図４を参照して本発明の実施形態について詳細に説明するが、この発明は、この実施の形態に限定されない。また、この発明の実施の形態は発明の最も好ましい形態を示すものであり、発明の用語や用途などをこれに限定しない。
【００２９】
図１は、本発明であるＩＤカード作成装置１の構成を示す構成図であり、図２は、申請用紙３における顔写真４の貼付を例示する図であり、図３は、制御部２１が制御して行う写真画像を取得してＩＤカードを作成する処理を示すフローチャートであり、図４（ａ）は、編集する用紙を選択する画面を例示する図であり、図４（ｂ）は、補正情報を入力する編集画面を例示する図である。
【００３０】
図１に示すように、ＩＤカード作成装置１には、上部に自動供給部３０が、その下部に番号読取部４０が、その下部に顔写真撮影部５０が、その下部に情報読取部６０が配置されており、当該ＩＤカード作成装置１の各部を統括制御する制御部２１により、帳票に記載された証明番号や各種情報を読み取ると共に、帳票に貼付された顔写真を読み取ることでＩＤカードを作成するための情報を取り込む構成である。
【００３１】
制御部２１は、特に図示しないＣＰＵ（Central  Processing  Unit）、ＲＯＭ（Read  Only  Memory）及びＲＡＭ（Random  Access  Memory）などを備え、ＣＰＵにおいてＲＡＭの所定領域を作業領域とし、ＲＯＭや不揮発性のメモリや光学的／磁気的な記憶媒体である記憶部２３に格納された各種プログラムを読み込んで順次実行することで、ＩＤカード作成装置１の動作を統括制御する。なお、記憶部２３は、各種プログラムの他に、ＩＤカード作成装置１の動作に関する設定データ、写真サイズや顔位置などの写真条件に関する情報及びＣＣＤカメラ５１で撮影した画像を格納する。
【００３２】
ＩＤカード用プリンタ２２は、制御部２１からの指示に応じて、紙やプラスチックなどのＩＤカードの記録面に上述の取り込んだ情報に基づいた各種情報や、取得された写真画像、つまり、申請用紙に貼付された顔写真に基づいた顔画像を印字するプリンタなどである。なお、ＩＤカード用プリンタ２２は、ＩＤカードに設けられたＩＣタグや磁気／光学的に読み書きが可能な記憶媒体に上記各種情報や顔画像に関するデータを格納する構成であっても良い。
【００３３】
操作部２４は、操作指示を入力するための数字キー・文字キー・各種機能キー等から構成されるキーボードや、マウスなどのポインティングデバイスであり、入力される操作信号を制御部２１へ出力する。また、操作部２４は、後述する表示部２５の表示画面上に覆われ、透明電極を格子状に配置して構成された感圧式（抵抗膜圧式）のタッチパネルであってよい。
【００３４】
表示部２５は、ＬＣＤ（Liquid  Crystal  Display）やＣＲＴ（Cathode  Ray  Tube）などのディスプレイであり、制御部２１から入力される表示用画像信号に基づいて画面に画像を表示する。
【００３５】
自動供給部３０には、カード状の帳票である申請用紙を格納して当該申請用紙を順次供給する申請用紙供給部３１と、短冊状の帳票である台紙を供給する台紙供給部３２とが備えられている。申請用紙供給部３１には申請用紙トレー３３がセットされ、台紙供給部３２には台紙トレー３４がセットされる。申請用紙トレー３３からの申請用紙と、台紙トレー３４からの台紙を搬送する共通の搬送部７０が備えられ、この搬送部７０の搬送路７１に沿って証明番号等を読み取る番号読取部４０と、顔写真を読み取る顔写真撮影部５０とが配置されている。
【００３６】
申請用紙供給部３１に格納される申請用紙は、発行希望者がＩＤカードを発行するために氏名、住所、生年月日等の自身に関する情報の記載と当該発行希望者の顔写真を貼付したものである。具体的には、図２に示すように、申請用紙３は、自身の情報を記載する情報記入領域３０１、顔写真４を貼付する写真貼付領域３０２及び当該申請用紙の証明番号などを記載する用紙番号記載領域３０３を有する。なお、台紙は、例えば作成するＩＤカードが免許証などの場合における撮影台紙などである。
【００３７】
番号読取部４０には、ＯＣＲリーダ４１が備えられ、ＯＣＲリーダ４１により申請用紙３の用紙番号記載領域３０３から証明番号等を読み取り、この読み取り情報は解読部４２で解読されてＣＰＵ５４に送られ、ＣＰＵ５４から制御部２１へ送られる。
【００３８】
顔写真撮影部５０は、ＣＣＤカメラ５１（Charge-Coupled  Device）が備えられ、そのＣＣＤカメラ５１の略正面に写真貼付領域３０２が配される撮影位置に搬送された申請用紙３を撮影し、その申請用紙３に貼付された顔写真４を読み取り、アナログ色信号を画像処理部５２へ送り、画像処理部５２で画像処理した顔画像に関するデータを制御部２１へ送る。ＣＣＤカメラ５１には顔写真４の撮影時に当該顔写真を照明する照明灯５３が備えられ、ＣＣＤカメラ５１はＣＰＵ５４で制御される。顔写真撮影部５０には、台紙を情報読取部６０のスキャナー部６１の手前で分岐し排出する台紙排出部５５を備えており、切り替え弁５６の操作で搬送路７１を切り替えて台紙をスキャナー部６１の手前で分岐し、台紙バケット５７へ排出する。画像処理部５２は、画像処理用のＤＳＰ（Digital  Signal  Processor）であり、制御部２１の指示に応じた画像のトリミング（切り出し）や回転・拡大・縮小・移動などの各種画像処理や、画像の指定領域のサイズ計測、指定領域における顔位置の検出などを行う。
【００３９】
また、顔写真撮影部５０は、ＣＰＵ５４で制御される赤外線照明灯５８、赤外線カメラ５９及びエッジ検出部５４ａを備え、撮影位置にある顔写真４に対して赤外線照明灯５８から赤外線を照射し、厚みにより顔写真４の縁に生じる赤外線照明影を含む画像を赤外線カメラ５９で撮影する。そして、エッジ検出部５４ａでその画像から赤外線照明影を所定の閾値との比較による２値化などにより判別し、エッジを検出してその検出結果をＣＰＵ５４に出力する。ＣＰＵ５４は、検出されたエッジに基づいてハフ法などを利用した公知の方法で写真位置を検出する。このように、赤外線照明による赤外線照明影から写真位置を検出する構成では、申請用紙３や顔写真４の絵柄や色の影響を受けることがないため、申請用紙や写真の色、素材等に影響されることなく、写真位置検出を行うことができる。
【００４０】
情報読取部６０には、証明番号及び顔写真の読み取り後、申請用紙３の情報記入領域３０１から情報を読み取るスキャナー部６１が備えられ、スキャナー部６１はＣＰＵ６２で制御され、読取情報はＣＰＵ６２により制御部２１へ送られる。スキャナー部６１により読取が終了した申請用紙は申請書バケット６３へ排出される。制御部２１では、証明番号を読み取ると共に、顔写真を読み取ることでＩＤカードを作成するための情報を取り込み、ＩＤカード用プリンタ２２へ出力してＩＤカードを作成する。
【００４１】
搬送部７０は、搬送路７１を搬送ローラ７２０１〜７２１３によって形成し、この搬送ローラ７２０１〜７２１３はステッピングモータ７３を動力源とする動力伝達手段７４により駆動可能になっている。ステッピングモータ７３は、ＣＰＵ５４の制御指示に応じて動力伝達手段７４の移動量を調整な構成であり、正確に申請用紙３の搬送位置を制御することができる。動力伝達手段７４は、例えばベルトで構成される。
【００４２】
次に、制御部２１が制御して行うＣＣＤカメラ５１で撮影した画像から写真画像を取得してＩＤカードを作成する処理を説明する。
【００４３】
図３に示すように、制御部２１は、自動供給部３０に格納された申請用紙３を確認し（ステップＳ１１）、未処理の申請用紙が残っているか否かを判定する（ステップＳ１２）。このステップＳ１２の判定において、申請用紙３が残っていると判定された場合はステップＳ１３〜Ｓ２１までの各処理が行われてＳ１１へ戻り、申請用紙３が残っていないと判定された場合はステップＳ２２〜Ｓ２６の各処理が行われて終了する。
【００４４】
なお、ステップＳ１２における判定は、自動供給部３０に格納された申請用紙３の有無だけでなく、操作部２４で指定された枚数の用紙を処理したか、又は自動給紙部３０の申請用紙トレー３３にセットされた全ての申請用紙３の処理１回分を１バッチとした場合、操作部２４で指定されたバッチ回数分の処理を行ったか否かを判定する構成であってよい。この場合は、指定された枚数の用紙やバッチに対してステップＳ１３〜Ｓ２１の処理を一括して行った後にステップＳ２２以下の処理を行うことができるため、オペレータが常に装置を監視する必要が無く、負担を軽減することができる。
【００４５】
また、ステップＳ１２における判定は、操作部２４から入力されるオペレータの手動補正指示の有無を判定する構成であってよい。この場合は、オペレータの所望のタイミングでステップＳ２２以下の処理を行うことができる。
【００４６】
申請用紙３が残っていると判定された場合は、申請用紙３が撮影位置まで搬送され（ステップＳ１３）、上述した赤外線照明灯５８、赤外線カメラ５９を用いた写真位置検出が行われ（ステップＳ１４）、その検出された位置に応じた切り出し範囲の補正情報、つまり、予め記憶部２３に格納された設定情報である撮影位置で写真貼付領域３０２を撮影した画像から顔写真４を切り出す際の通常の切り出し範囲に対して、写真の貼付位置のずれなどに応じた切り出し範囲のずれ量が得られたか否かが判定される（ステップＳ１５）。つまり、補正に必要な情報が得られない場合とは、ステップＳ１４で写真位置を検出することができない場合である。なお、補正に必要な情報が得られない場合は、ハフ法などの過程で求められた写真のエッジと等価な辺（直線）とデータ（赤外線照明影の内側の縁の座標）を元にした検定などにより、直線に対するデータの信憑性が低く、得られた補正情報が補正に適さない場合を含んでよい。
【００４７】
ステップＳ１５において、補正情報が得られた場合は、その補正情報に基づいて切り出す範囲を補正した場合の写真画像が記憶部２３に格納された写真条件を満たすか否か、つまり、補正後の画像のサイズや切り出す領域における顔位置が適正であるか否かが判定される（ステップＳ１６）。
【００４８】
上述したステップＳ１５、Ｓ１６の判定を満たす場合は、ＣＣＤカメラ５１で写真貼付領域３０２を含む領域が写真画像として撮影され（ステップＳ１７）、得られた補正情報を元にその写真画像からＩＤカード用の画像が抽出（取得）され（ステップＳ１８）、その取得された画像を元にＩＤカードが作成されて（ステップＳ１９）、ステップＳ１１へ戻る。
【００４９】
また、上述したステップＳ１５又はＳ１６の判定を満たさない場合は、ＣＣＤカメラ５１で写真貼付領域３０２を含む領域が写真画像として撮影されて記憶部２３に記憶され、（ステップＳ２０）、申請用紙が排出されて（ステップＳ２１）、ステップＳ１１へ戻る。
【００５０】
ステップＳ１２において申請用紙３が残っていないと判定された場合は、記憶部２３に記憶された画像が残っているか否か、つまり、ステップＳ２０において記憶部２３に格納された、補正する条件を満たさないためにＩＤカードが作成されなかった申請用紙に関する画像が残っているか否かが判定され（ステップＳ２２）、残っていない場合は終了する。
【００５１】
記憶部２３に記憶された画像が残っている場合は、その記憶された写真画像が表示部２５の編集画面に表示され（ステップＳ２３）、操作部２４からオペレータによる補正条件（補正情報）の入力が受け付けられ（ステップＳ２４）、入力された補正情報に基づいて記憶部２３に記憶された画像からＩＤカード用の画像が抽出（取得）され（ステップＳ２５）、その取得された画像を元にＩＤカードが作成されて（ステップＳ２６）、ステップＳ２２へ戻る。
【００５２】
ここで、ステップＳ２３、Ｓ２４における写真画像の編集画面を詳細に説明する。
【００５３】
図４（ａ）に示すように、表示部２５には、記憶部２３に記憶されたＩＤカードが作成されなかった申請用紙に関する画像を一覧表示する記憶画像一覧表示領域Ｗ１１、編集する申請用紙の選択を行う編集画像表示領域Ｗ２１、当該編集画像表示領域Ｗ２１の移動を指示する選択指示ボタンＢ１１、Ｂ１２、現在編集画像表示領域Ｗ２１で選択されている画像の補正情報編集画面へ移行する補正決定ボタンＢ１３及びキャンセルボタンＢ１４が表示される。オペレータは、この表示部２５の表示画面を確認しながらボタン操作を行うことで、編集する画像の選択を行うことができる。
【００５４】
表示部２５における補正情報編集画面は、図４（ｂ）に示すように、操作指示された補正条件に基づいて切り出す範囲の画像を表示する編集画像表示領域Ｗ２１、編集画像に関する情報を表示するステータス表示領域Ｗ２２及び補正条件を操作指示する各種ボタンが表示される。各種ボタンは、切り出し範囲の拡大／縮小を指示する拡大指示ボタンＢ２１、縮小指示ボタンＢ２２、画像の右／左回転を指示する右回転指示ボタンＢ２３、左回転指示ボタンＢ２４、切り出し範囲の移動を指示する方向指示ボタンＢ２５〜Ｂ２８、補正情報を現在編集画像表示領域Ｗ２１に表示されている状態で確定して終了する決定ボタンＢ２９及びキャンセルボタンＢ３０から構成される。オペレータは、この表示部２５の補正情報編集画面を確認しながらボタン操作を行うことで補正情報の編集をすることができる。
【００５５】
なお、表示部２５における編集画像表示領域Ｗ２１の表示は、常時行う構成であってよく、例えば、補正情報を編集するとき以外のステップＳ１８などに行う構成であってよい。この場合は、常に切り出す範囲の画像をオペレータがチェックすることができる。
【００５６】
以上のように、ＩＤカード作成装置１は、赤外線カメラ５９で撮影した赤外線画像から申請用紙３に貼付された顔写真４の位置を検出して、その検出結果に基づいてＣＣＤカメラ５１で撮影した画像の切り出す範囲を補正して写真画像を取得する際に、補正に必要な情報が得られない場合や、切り出す範囲を補正した場合の写真画像が記憶部２３に記憶された写真条件を満たさない場合はその撮影した画像を記憶部２３に記憶し、記憶部２３に記憶された画像と操作部２４から入力された補正情報とに基づいて写真画像を取得する構成である。このため、再び申請用紙３を自動供給部３０に格納して読み取らせた後に補正をする必要が無く、オペレータの手間を軽減することができる。さらに、ＩＤカード作成装置１は、上述した構成にＩＤカード用プリンタ２２を備える構成であるため、ＩＤカードの作成時におけるオペレータの手間を軽減することができる。
【００５７】
また、ＩＤカード作成装置１は、操作部２４で指定された枚数の用紙を一括して読み取った後にオペレータによる補正を行うことができるため、常に装置をオペレータが監視する必要が無く、オペレータの負担を軽減することができる。
【００５８】
また、ＩＤカード作成装置１は、表示部２５に補正条件を元に切り出す範囲の画像を表示する構成であるため、オペレータが容易に取得する写真画像を確認することができ、作業効率の向上と、ロスの低減を実現することができる。
【００５９】
なお、本実施の形態における記述は、本発明の一例を示すものであり、これに限定しない。本発明におけるＩＤカード作成装置１の細部構成及び細部動作に関しては、本発明の趣旨を逸脱しない範囲で適宜変更が可能である。
【００６０】
例えば、本実施の形態では、赤外線照明影に基づいて写真位置を検出する構成を示したが、用紙を透過する光の強度に基づいて構成又は撮影した画像から色濃度の変化に基づく構成で写真位置を検出するなどであってよい。また、検出するための画像を取得するカメラはＣＣＤカメラ５１で合って良い。さらに、ＣＣＤカメラ５１は、ＣＭＯＳ（Complementary  Metal-Oxide  Semiconductor）を用いたカメラであってよい。
【図面の簡単な説明】
【００６１】
【図１】本発明であるＩＤカード作成装置１の構成を示す構成図である。
【図２】申請用紙３における顔写真４の貼付を例示する図である。
【図３】制御部２１が制御して行う写真画像を取得してＩＤカードを作成する処理を示すフローチャートである。
【図４】（ａ）は、編集する用紙を選択する画面を例示する図であり、（ｂ）は、補正情報を入力する編集画面を例示する図である。
【符号の説明】
【００６２】
１  ＩＤカード作成装置（写真画像読取装置）
３  申請用紙
４  顔写真
２１  制御部（判定手段、写真画像取得手段）
２２  ＩＤカード用プリンタ（カード作成手段）
２３  記憶部（画像記憶手段、記憶手段）
２４  操作部（補正情報入力手段、指示手段）
２５  表示部（補正結果表示手段）
３０  自動供給部
３１  申請用紙供給部
３２  台紙供給部
３３  申請用紙トレー
３４  台紙トレー
４０  番号読取部
４１  ＯＣＲリーダ
４２  解読部
５０  顔写真撮影部（読取手段）
５１  ＣＣＤカメラ
５２  画像処理部（写真画像取得手段）
５３  照明灯
５４  ＣＰＵ
５４ａ  エッジ検出部
５５  台紙排出部
５６  切り替え弁
５７  台紙バケット
５８、５８ａ、５８ｂ  赤外線照明灯
５９  赤外線カメラ
６０  情報読取部
６１  スキャナー部
６２  ＣＰＵ
６３  申請書バケット
７０  搬送部
７１  搬送路
７２０１〜７２１３  搬送ローラ
７３  ステッピングモータ
７４  動力伝達手段
３０１  情報記入領域
３０２  写真貼付領域
３０３  用紙番号記載領域
Ｂ１１、Ｂ１２  選択指示ボタン
Ｂ１３  補正決定ボタン
Ｂ１４、Ｂ３０  キャンセルボタン
Ｂ２１  拡大指示ボタン
Ｂ２２  縮小指示ボタン
Ｂ２３  右回転指示ボタン
Ｂ２４  左回転指示ボタン
Ｂ２５〜Ｂ２８  方向指示ボタン  
Ｂ２９  決定ボタン
Ｗ１１  記憶画像一覧表示領域
Ｗ１２  選択枠
Ｗ２１  編集画像表示領域
Ｗ２２  ステータス表示領域
【図１】
2007045003.tif 000003
【図２】
2007045003.tif 000004
【図３】
2007045003.tif 000005
【図４】
2007045003.tif 000006